(57)【要約】      （修正有）【課題】吹出口下端部の水平羽根付近での渦の発生を抑制して、空気調和機の性能向上及び吹出口下端部付近に結露が発生するのを防止する。【解決手段】空気調和機の室内機１００は、縦長の直方体状の筐体１と、この筐体内部の下部に設置された送風機２と、筐体内部における送風機２の上部に配置された熱交換器３と、筐体の下部に設けられた吸込口５と、筐体１の上部に設けられた吹出口９と、吹出口９に設けられ吹出し空気の方向を変えるために上下方向に配設された複数の水平羽根８とを備え、送風機２により吸込口５から空気を吸い込み、熱交換器３を通過させた後、吹出口８から空気を吹き出すように構成されている。複数の水平羽根８のうち最下部の水平羽根８aは、その上流側を、最下部の水平羽根８aよりも上方に設けられた他の水平羽根８よりも長く構成した延長部を有し、且つこの延長部を下向きに曲げた形状に構成している。【選択図】図１
2018119735.tif 000002
【特許請求の範囲】
【請求項１】
縦長の直方体状の筐体と、この筐体内部の下部に設置された送風機と、前記筐体内部における前記送風機の上部に配置された熱交換器と、前記筐体の下部に設けられた吸込口と、前記筐体の上部に設けられた吹出口と、前記吹出口に設けられ吹出し空気の方向を変えるために上下方向に配設された複数の水平羽根とを備え、前記送風機により前記吸込口から空気を吸い込み、前記熱交換器を通過させた後、前記吹出口から空気を吹き出すように構成されている空気調和機の室内機において、
前記複数の水平羽根のうち最下部の水平羽根は、その上流側を、前記最下部の水平羽根よりも上方に設けられた他の水平羽根よりも長く構成した延長部を有し、且つこの延長部を下向きに曲げた形状に構成していることを特徴とする空気調和機の室内機。
【請求項２】
請求項１に記載の空気調和機の室内機において、前記延長部は、下向きに円弧状に曲げられた形状であることを特徴とする空気調和機の室内機。
【請求項３】
請求項１に記載の空気調和機の室内機において、前記最下部の水平羽根は、樹脂或いは金属により一体に製造されていることを特徴とする空気調和機の室内機。
【請求項４】
請求項１に記載の空気調和機の室内機において、前記最下部の水平羽根は、板状部材で構成され、この水平羽根の前記延長部は、前記板状部材の上流側を下向きに曲げて形成されていることを特徴とする空気調和機の室内機。
【請求項５】
請求項１に記載の空気調和機の室内機において、前記延長部は、前記熱交換器側に凸となる曲面で形成されていることを特徴とする空気調和機の室内機。
【請求項６】
請求項５に記載の空気調和機の室内機において、前記最下部の水平羽根が水平方向を向いている状態で、前記延長部の最下端となる端部の水平方向位置は、前記熱交換器側に凸となる曲面で形成されている前記延長部の中間部よりも吹出口側に位置していることを特徴とする空気調和機の室内機
【請求項７】
請求項６に記載の空気調和機の室内機において、前記最下部の水平羽根の角度が最も下方に向くようにされた状態で、前記延長部の端部は鉛直方向を向くように構成されていることを特徴とする空気調和機の室内機。
【請求項８】
請求項１〜７の何れか一項に記載の空気調和機の室内機において、前記室内機の吹出口における前記水平羽根の上流側には吹出し空気の方向を変えるための複数の垂直羽根が設けられ、前記垂直羽根は前記吹出口の下端部に設けた支持部材に回動自在に支持され、且つ前記最下部の水平羽根と前記垂直羽根とは干渉しないように構成されていることを特徴とする空気調和機の室内機。
【請求項９】
請求項８に記載の空気調和機の室内機において、前記最下部の水平羽根の延長部を前記垂直羽根に干渉しない長さに形成するか、或いは前記垂直羽根を前記最下部の水平羽根と干渉しない位置に設置することにより、前記最下部の水平羽根と前記垂直羽根とが干渉しないように構成されていることを特徴とする空気調和機の室内機。
【請求項１０】
請求項８に記載の空気調和機の室内機において、前記最下部の水平羽根には、その上流側に、前記垂直羽根が設けられている位置に対応させて、前記垂直羽根の下流側を受け入れるための切欠き部を形成し、前記切欠き部の幅は、前記垂直羽根の角度が変化する範囲において前記垂直羽根と前記水平羽根が干渉しない大きさに形成されていることを特徴とする空気調和機の室内機。
【請求項１１】
請求項１〜７の何れか一項に記載の空気調和機の室内機において、前記筐体の正面内側における前記吹出口の下端部近傍に、上方に向かうにつれて前記熱交換器側に立ち上がり、その後前記吹出口に向けて徐々に転向する曲面で形成されたガイド部を設けていることを特徴とする空気調和機の室内機。
【発明の詳細な説明】
【技術分野】
【０００１】
本発明は、空気調和機の室内機に係り、特に、筐体内に送風機及び熱交換器を設け、前記送風機により室内の空気を吸い込み、前記送風機の吹き出し側に設けられた前記熱交換器により前記空気を冷却または加熱して前記室内に向けて吹き出すようにした室内機に関する。
【背景技術】
【０００２】
空気調和機の室内機は、据付場所に対応して様々な形態のものが存在し、例えば、筐体内に送風機及び熱交換器を設け、送風機の吹き出し側に設けられた熱交換器により空気を冷却または加熱して室内に吹き出すようにした床置き型の室内機としては、特開平８−２００７２２号公報（特許文献１）に記載されたものなどがある。
【０００３】
図９に、床置き型と呼ばれる従来の一般的な空気調和機の室内機の例を示す。この床置き型の室内機は、縦長の直方体状の筐体１０１の内部に、遠心ファン１０２ａとモータ１０２ｂを備える遠心送風機１０２と、熱交換器１０３を備えている。前記遠心送風機１０２は前記筐体１０１内の下部に設置され、前記熱交換器１０３は前記筐体１０１内の上部に設置されている。
【０００４】
前記熱交換器１０３は、その上部を前記筐体１０１の背面板１０１ａ側に傾けて取り付けられ、その下部は前記筐体１０１の正面板（正面パネル）１０１ｂの背面に設置したドレンパン１１０の上部に取り付けられている。
【０００５】
また、前記筐体１０１の正面板１０１ｂの下部にはフィルタ１０４を備えた吸込みグリル１０５が設けられている。前記吸込みグリル１０５と前記遠心送風機１０２との間には、前記遠心送風機１０２の吸入側と吐出側を仕切るためのベルマウス１０６が配設されている。更に、前記筐体１０１の正面板１０１ｂの上部には、吹出し空気の方向を制御するための複数の垂直羽根１０７及び複数の水平羽根１０８を備えた吹出口１０９が設けられている。
【０００６】
前記垂直羽根１０７には、該垂直羽根１０７を支持して回動させるための軸部１０７ａ，１０７ｂが設けられており、上部の軸部１０７ａは筐体１０１の天板１０１ｃに回動自在に取付けられ、下部の軸部１０７ｂは、筐体１０１の正面板１０１ｂにおける前記吹出口１０９の最下部に設けた垂直羽根の支持部材１０９ａに回動自在に取付けられている。
【先行技術文献】
【特許文献】
【０００７】
【特許文献１】特開平８−２００７２２号
【発明の概要】
【発明が解決しようとする課題】
【０００８】
図９に示す前記遠心送風機１０２が運転されると、室内の空気は、矢印１２１で示すように、前記吸込みグリル１０５、前記フィルタ１０４を通って前記筐体１０１内に吸入され、前記ベルマウス１０６に導かれて前記遠心送風機１０２を構成している遠心ファン１０２ａの吸入口に吸込まれる。前記遠心ファン１０２ａに吸込まれた空気は昇圧されて、遠心ファン１０２ａの吐出口から白抜き矢印１２２で示すように吹き出され、この吹き出された空気は前記筐体１０１内の上方に流れて、前記熱交換器１０３を通過する。この熱交換器１０３を通過する空気は、該熱交換器１０３の冷媒配管内を流れる冷媒と熱交換して冷却或いは加熱された後、矢印１２３ａ，１２３ｂ，１２３ｃで示すように、前記吹出口１０９に向かって流れ、該吹出口１０９から矢印１２４で示すように、室内に吹き出される。
【０００９】
図１０は図９に示す室内機の上部を拡大して示す要部拡大断面図である。この図１０により、室内機を運転した際の吹出口１０９部付近の空気の流れを説明する。なお、この図１０においては、見易くするため、図９に示す垂直羽根１０７及び支持部材１０９ａの一部については破線で簡略化して示している。
【００１０】
前記吹出口１０９は前記筐体１０１の上部に設けられているため、前記熱交換器１０３の上部を通った空気は矢印１２３ｃに示すように室内機の吹出方向（矢印１２４の方向）と略同一方向に流れる。しかし、熱交換器の下部を通った空気は矢印１２３ａで示すように吹出方向とは直交する方向から上向きに流れ、その後前記吹出口１０９から水平方向に吹出されることになる。
【００１１】
このため、矢印１２３ａのように流れる空気は吹出口１０９の下端部の支持部材１０９ａの部分で剥離し、最下部の水平羽根１０８ａと吹出口下端部の支持部材１０９ａの間には、矢印１２６ａに示すような大きな渦が生じて空気は流れず、空気は矢印１２５に示すように流れる。しかし、最下部の前記水平羽根１０８ａとその一つ上の水平羽根１０８ｂの間でも、空気が吹出方向に対し斜めに流入するため、矢印１２６ｂで示すように渦が発生してしまう。
【００１２】
このような矢印１２６ａ，１２６ｂで示す渦は空気流路の有効な幅を狭めてしまうため、吹出口１０９から吹出す風量が低下することから空気調和機の性能を低下させてしまう。また、前記渦の発生は、水平羽根１０８の端部や吹出口１０９の前記支持部材１０９ａに結露を生じる原因になるなどの課題がある。
【００１３】
なお、上記特許文献１のものには、吹出口の下部前縁部から垂直内壁にかけて円弧状の流体案内壁を設けて、吹出口下端部と水平羽根の間に空気を導くようにしたものが記載されている。
【００１４】
この特許文献１に記載の空気調和機のものでは、吹出口下端部と最下部の水平羽根の間の空間を流れる空気量は増加できるが、最下部の水平羽根とその一つ上の水平羽根の間の空間に対して渦を抑制することについての配慮が為されていない。また、水平羽根は上向き及び下向きに角度を変えて使用される場合があるが、特許文献１に記載のものでは、水平羽根の角度が変わっても前記流体案内壁の形状を変えることはできず、様々な角度に設定されうる水平羽根の全ての角度に対し効果的に渦を抑制することは困難である。
【００１５】
本発明の目的は、吹出口下端部の水平羽根付近での渦の発生を抑制して、空気調和機の性能向上及び吹出口下端部付近に結露が発生するのを防止することのできる空気調和機の室内機を実現することにある。
【課題を解決するための手段】
【００１６】
上記目的を達成するため、本発明は、縦長の直方体状の筐体と、この筐体内部の下部に設置された送風機と、前記筐体内部における前記送風機の上部に配置された熱交換器と、前記筐体の下部に設けられた吸込口と、前記筐体の上部に設けられた吹出口と、前記吹出口に設けられ吹出し空気の方向を変えるために上下方向に配設された複数の水平羽根とを備え、前記送風機により前記吸込口から空気を吸い込み、前記熱交換器を通過させた後、前記吹出口から空気を吹き出すように構成されている空気調和機の室内機において、前記複数の水平羽根のうち最下部の水平羽根は、その上流側を、前記最下部の水平羽根よりも上方に設けられた他の水平羽根よりも長く構成した延長部を有し、且つこの延長部を下向きに曲げた形状に構成していることを特徴とする。
【発明の効果】
【００１７】
本発明によれば、吹出口下端部の水平羽根付近での渦の発生を抑制して、空気調和機の性能向上及び吹出口下端部付近に結露が発生するのを防止することのできる空気調和機の室内機を実現できる効果が得られる。
【図面の簡単な説明】
【００１８】
【図１】本発明の空気調和機の室内機の実施例１を示す側断面図。
【図２】図１に示す支持部材の平面図。
【図３】図１に示す室内機の上部を拡大して示す要部拡大断面図。
【図４】本発明の空気調和機の室内機の実施例２を示す要部拡大断面図で、図３に相当する部分の図。
【図５】本発明の実施例１の最下部の水平羽根を下向きに傾けた際の水平羽根周辺の空気の流れを説明する図。
【図６】本発明の実施例２の最下部の水平羽根を下向きに傾けた際の水平羽根周辺の空気の流れを説明する図。
【図７】本発明の空気調和機の室内機の実施例３を説明する図で、最下部の水平羽根の構成を示す斜視図。
【図８】本発明の空気調和機の室内機の実施例４を示す要部拡大断面図で、図３に相当する部分の図。
【図９】従来の一般的な空気調和機の室内機の例を示す側断面図。
【図１０】図９に示す室内機の上部を拡大して示す要部拡大断面図。
【発明を実施するための形態】
【００１９】
以下、本発明の空気調和機の室内機の具体的実施例を図面を用いて詳細に説明する。各図において、同一符号を付した部分は同一或いは相当する部分を示している。
【実施例１】
【００２０】
本発明の空気調和機の室内機の実施例１を、図１〜図３を用いて説明する。図１は実施例１を示す室外機の全体構成を示す側断面図、図２は図１に示す支持部材の平面図、図３は図１に示す室内機の上部を拡大して示す要部拡大断面図で、吹出口部の空気の流れを説明する図である。
【００２１】
空気調和機は、冷媒が封入された冷媒循環流路に、冷媒を圧縮する圧縮機と、冷媒と室内の空気とを熱交換させる室内熱交換器と、冷媒を減圧する膨張弁と、冷媒と外気とを熱交換させる室外熱交換器を、順次冷媒配管で接続して冷凍サイクルを構成している。
【００２２】
前記室外熱交換器は、該室外熱交換器に室外の空気を送風するための送風機と共に、室外機の筐体内に格納されている。前記室内熱交換器は、該室内熱交換器に室内の空気を送るための送風機と共に、室内機の筐体内に格納されている。
【００２３】
本実施例１の空気調和機の室内機の全体構成を、図１を用いて説明する。本実施例１の空気調和機の室内機１００は、床置き型の室内機で、この床置き型の室内機は、縦長の直方体状の筐体１の内部に、遠心ファン２ａとモータ２ｂを備える遠心送風機２と、熱交換器３を備えている。前記遠心送風機２は前記筐体１内の下部に設置され、前記熱交換器３は前記筐体１内の上部に設置されている。
【００２４】
前記熱交換器３は、その上部を前記筐体１の背面板１ａ側に傾けて取り付けられ、その下部は前記筐体１の正面板（正面パネル）１ｂの背面に設置したドレンパン１０の上部に取り付けられている。
【００２５】
また、前記筐体１の正面板１ｂの下部にはフィルタ４を備えた吸込みグリル（吸込口）５が設けられている。前記吸込みグリル５と前記遠心送風機２との間には、前記遠心送風機２の吸入側と吐出側を仕切るためのベルマウス６が配設されている。このベルマウス６は、その下部が底板１ｄに固定され、上部は前記ドレンパン１０に固定されている。
【００２６】
前記筐体１の正面板１ｂの上部には、吹出し空気の方向を変えるようにするための複数の垂直羽根７及び上下方向に配設された複数の水平羽根８を備えた吹出口９が設けられている。
前記垂直羽根７には、該垂直羽根７を支持して回動させるための軸部７ａ，７ｂが設けられており、上部の軸部７ａは筐体１の天板１ｃに回動自在に取付けて支持され、下部の軸部７ｂは、筐体１における正面板１ｂの吹出口９最下部の部分に設けた垂直羽根の支持部材９ａに回動自在に取付けて支持されている。
【００２７】
本実施例１においては、複数の前記水平羽根８のうち最下部の水平羽根８ａ（８ａ１）については、その上流側（熱交換器３側）を、前記水平羽根８ａよりも上方に設けられた他の水平羽根８よりも長く構成した延長部（空気の剥離抑制手段）８aEを具備する構成とし、且つこの延長部８aEを下向きに円弧状に曲げた形状に構成している。
【００２８】
また、上流側に長く構成された前記延長部８aEを有する最下部の前記水平羽根８ａは、前記垂直羽根７と干渉しないように構成されている。即ち、前記最下部の水平羽根８ａの延長部８aEを前記垂直羽根７に干渉しない長さに形成するか、或いは前記垂直羽根７を前記最下部の水平羽根８ａと干渉しない位置に設置する等の手段により、前記垂直羽根７と前記水平羽根８ａは互いに干渉しないように構成されている。
【００２９】
前記吹出口９の最下部に設けた上記支持部材９ａの構成を図２により説明する。図２は図１に示す支持部材の平面図であり、この支持部材９ａは図２に示すように、水平方向（横方向）に長く構成され、前記吹出口９の最下部の部分全体を構成している。この支持部材９ａには、複数の前記垂直羽根７のそれぞれの軸部７ｂに対応する位置に、複数の凸形状の垂直羽根７の支持部９ａａが設けられており、この各支持部９ａａには前記垂直羽根７の下方の軸部７ｂを挿入して支持するための孔部９ａｂがそれぞれ形成されている。
【００３０】
本実施例においては、前記垂直羽根７は５枚設けられているので、前記支持部９ａａも５枚の前記垂直羽根に対応する位置に５つ設けられている。
【００３１】
図１に示す前記遠心送風機２が運転されると、室内の空気は、矢印２１で示すように、前記吸込みグリル５及び前記フィルタ４を通って前記筐体１内に吸入され、前記ベルマウス６に導かれて前記遠心送風機２を構成している遠心ファン２ａの吸入口に吸込まれる。前記遠心ファン２ａに吸込まれた空気は昇圧されて、遠心ファン２ａの吐出口から白抜き矢印２２で示すように吹き出され、この吹き出された空気は前記筐体１内の上方に流れて、前記熱交換器３を通過する。この熱交換器３を通過する空気は、該熱交換器３の冷媒配管内を流れる冷媒と熱交換して冷却或いは加熱された後、矢印２３ａ，２３ｂ，２３ｃで示すように、前記吹出口９に向かって流れ、該吹出口９から矢印２４で示すように、室内に吹き出される。
【００３２】
図３は図１に示す室内機１００の上部を拡大して示す要部拡大断面図である。この図３により、室内機を運転した際の吹出口９部付近の空気の流れを説明する。なお、この図３においても、見易くするため、図１に示す垂直羽根７及び支持部材９ａの一部については破線で簡略化して示している。
【００３３】
前記吹出口９は前記筐体１の上部に設けられているため、前記熱交換器３の上部を通った空気は矢印２３ｃに示すように室内機の吹出方向（矢印２４の方向）と略同一方向に流れる。しかし、熱交換器の下部を通った空気は矢印２３ａで示すように吹出方向とは直交する方向から上向きに流れ、その後前記吹出口９から水平方向に吹出されることになる。
【００３４】
図１０に示す従来のものでは、矢印１２３ａのように流れる空気は吹出口１０９の下端部の支持部材１０９ａの部分で剥離し、最下部の水平羽根１０８ａと支持部材１０９ａの間には、矢印１２６ａに示す大きな渦が生じて空気は流れず、また最下部の水平羽根１０８ａとその一つ上の水平羽根１０８ｂの間でも、空気が吹出方向に対し斜めに流入するため、矢印１２６ｂで示すように渦が発生して空気が流れ難いという課題があった。
【００３５】
これに対し、本実施例１のものでは、最下部の水平羽根８ａについては、その上流側を、前記水平羽根８ａよりも上方に設けられた他の水平羽根８ｂ，８ｃ，８ｄよりも長く構成した延長部８aEを具備する構成とし、且つその上流側の前記延長部８aEの部分を下向きに曲げた形状に構成しているので、空気は図３に示すように流れる。
【００３６】
即ち、矢印２３ａで示す上向きに流れる空気は最下部の前記水平羽根８ａの上流側（熱交換器側）の前記延長部８aEの部分に衝突し、その後矢印２５で示すように、空気は前記最下部の水平羽根８ａの下面に沿って流れるようになる。このため、吹出口９の下端部の前記支持部材９ａの部分で発生していた渦を、矢印２６で示すように、従来のもの（図１０に示す矢印１２６ａ参照）と比較して小さい渦にすることができる。従って、吹出口９として有効に機能していなかった最下部の水平羽根８ａと前記支持部材９ａとの間の空間にも空気を流すことができる。
【００３７】
また、熱交換器３の中間部を通った流れは、矢印２３ｂで示すように、水平羽根８に対して斜め上向きに流入するが、最下部の水平羽根８ａの上流側端部に流入した流れは、最下部の水平羽根８ａの上面に沿って流れるため、最下部の水平羽根８ａとその一つ上の水平羽根８ｂの間の空間にも効率良くスムーズに空気を流すことができる。従って、水平羽根８ａと８ｂとの間の空間に渦が発生するのも抑制することができから、この部分の空間への風量も増加できる。
【００３８】
このように、本実施例１の空気調和機の室内機によれば、吹出口９下端部の支持部材９ａと最下部の水平羽根８ａとの間の空間、及び最下部の水平羽根８ａとその一つ上の水平羽根８ｂの間の空間で渦が発生するのを抑制できるから、通過する空気流路の有効幅を広げて空気量（風量）を増加でき、これにより空気調和機の性能向上を図ることができる。
【００３９】
また、吹出口９の下端部の支持部材９ａの部分で発生していた渦を小さい渦２６にすることができ、更に、最下部の水平羽根８ａとその一つ上の水平羽根８ｂの間に渦が発生するのも防止できるから、前記支持部材９ａや前記最下部の水平羽根８ａなどに結露が発生するのも抑制することができる。
【００４０】
なお、上述した特許文献１に記載されているように、吹出口９の下部に固定した流体案内壁を設けて、吹出口下端部（支持部材９ａ）と最下部の水平羽根８ａとの間に空気を導くようにしても、吹出口下端部と最下部の水平羽根８ａとの間を通過する空気量を増加することはできる。しかし、水平羽根８は、一般に、上向きまたは下向きに傾けて吹出空気の方向を制御されるため、固定した流体案内壁では、水平羽根８のあらゆる傾きに対応することは困難であり、例えば最下部の水平羽根８ａの上面に渦が発生するのを、常に防止することは困難である。
【００４１】
一方、本実施例１に記載のものでは、最下部の水平羽根８ａは、他の複数の水平羽根８と共に傾けられるように制御されるため、水平羽根８ａの角度に拘らず、常に渦の発生を抑制できる効果が得られる。
【００４２】
上述した実施例１では、最下部の前記水平羽根８ａは、その上流側（熱交換器側）の端部が他の水平羽根８ｂ〜８ｄよりも長く構成した延長部８aEを具備し、且つこの延長部８aEは下向きに円弧状に曲げられた形状に構成されているので、最下部の水平羽根８ａの上下両面に空気をスムーズに流すのに効果的である。
【００４３】
しかし、最下部の水平羽根８ａの延長部８aE（上流側端部）の形状は円弧状に曲げられた形状に限定されるものではなく、他の曲線や複数の直線を連結して下向き形状となるように構成しても良い。即ち、最下部の水平羽根８ａは、他の水平羽根８ｂ〜８ｄよりも長く構成した延長部８aEを具備し、且つその延長部８aEの形状が下向きに曲げられた形状となっておれば良い。
【００４４】
このような形状の前記最下部の水平羽根８ａは、樹脂或いは金属による一体製造などの手段で製作できる。例えば、最下部の前記水平羽根８ａを、樹脂による射出一体成形で製作する。或いは、前記水平羽根８を板状部材で構成し、最下部の水平羽根８ａについては、板状部材で構成された水平羽根の上流側の延長部８aEを下方に折り曲げた形状にして製作する。このように、水平羽根８ａの上流側に前記延長部８aEを一体製造することにより、水平羽根８ａの製作コストを低減することができる。
【００４５】
また、最下部の前記水平羽根８ａを、他の水平羽根８ｂ〜８ｄと同様の長さに製作した後、その水平羽根８ａの上流側となる先端に、別部材で製作した延長部８aE、例えば円弧状の曲げ部を有する前記延長部８aEを取り付けるようにして、前記最下部の水平羽根８ａを製作するようにしても良い。別部材で製作した前記延長部８aEの前記水平羽根８ａへの取り付けは、ねじや接着剤により一体となるように取り付けることができる。また、例えば、前記水平羽根８ａの上流側端部に穴を設けておき、この穴に前記延長部８aEの端部を差し込んで一体化する差込式とすることもできる。
【００４６】
このように構成すれば、吹出口９の下端部等に結露が発生し易いような設置条件になっている室内機１００に対して、後付けで、延長部８aEを有する水平羽根８ａを備える構成とすることができ、結露の発生を抑制した室内機１００を得ることが可能となる。
【実施例２】
【００４７】
次に、本発明の実施例２を図４〜図６を用いて説明する。図４は本実施例２を示す要部拡大断面図で、図３に相当する部分の図である。まず、この図４を用いて、本実施例２の構成を説明する。なお、本実施例２の説明においては、図１〜図３に示す実施例１と同様の部分については同一の符号を付して説明を省略し、異なる部分を中心に説明する。また、この図４においては、見易くするため、図１に示す垂直羽根７については省略して図示しているが、図１に示す垂直羽根７については、本実施例２においても実施例１と同様に具備されているものである。
【００４８】
図４に示すように、本実施例２の空気調和機の室内機も、複数の水平羽根８のうちの最下部の水平羽根８ａ（８ａ２）については、その上流側（熱交換器３側）を、前記水平羽根８ａよりも上方に設けられた他の水平羽根８よりも長く構成した延長部８aEを具備する構成とし、この延長部８aEを下向きに円弧状に曲げた形状に構成し、且つ上流側に長く構成された前記延長部８aEを有する前記水平羽根８ａが前記垂直羽根７と干渉しない長さに構成されている点では、上記実施例１と同様である。
【００４９】
本実施例２の室内機が上述した実施例１と異なる点は、複数の水平羽根８が水平方向に向いている状態で、最下部の水平羽根８ａ（８ａ２）の前記延長部８aEの形状が、一旦熱交換器側に張り出した後下方に曲げられ、図４中のＸの位置で鉛直方向に向き、その後、吹出し側の方向に曲げられて、前記延長部８aEの端部が、図４中のＹの位置まで前記Ｘの位置から吹出し側に戻る形状に曲げられた構成となっている点である。
【００５０】
即ち、前記最下部の水平羽根８ａの前記延長部８aEは、前記熱交換器３側に凸となる曲面で形成され、前記水平羽根８ａが水平方向を向いている状態で、前記延長部８aEの最下端となる端部の水平方向位置は、前記熱交換器３側に凸となる曲面で形成されている前記延長部８aEの中間部よりも吹出口９側に位置する構成としている。
【００５１】
従って、前記延長部８aEの端部は、前記Ｙの位置では鉛直方向よりも吹出口９側に向くように構成され、前記最下部の水平羽根８ａ（８ａ２）の角度が最も下方に向くようにされた状態で、前記延長部８aEの端部が鉛直方向を向くように構成されている。
【００５２】
また、前記最下部の水平羽根８ａ（８ａ２）の水平方向の長さａは、その他の水平羽根８の水平方向の長さｂの１．５〜２．５倍（好ましくは１．７〜２．２倍）程度に構成すると良い。他の構成は上述した実施例１と同様である。
【００５３】
なお、本実施例では、最下部の水平羽根８ａの延長部８aEを大きく下部に曲げる構成としているために、この延長部８aEが支持部材９ａの支持部９ａａと干渉することも考えられる。そこで、前記延長部８aEと前記支持部９ａａが干渉する場合には、後述する実施例３のように、最下部の水平羽根８ａの延長部８aEに切欠き部４０（図７参照）を設け、この切欠き部４０の幅を図２に示す支持部９ａａの幅よりも大きく構成すれば、干渉するのを回避することができる。
【００５４】
本実施例２の効果を、図５及び図６を用いて説明する。図５は前述した実施例１における最下部の水平羽根８ａ（８ａ１）を下向きに傾けた状態での水平羽根周辺の空気の流れを説明する図、図６は本実施例２における最下部の水平羽根８ａ（８ａ２）を下向きに傾けた状態での水平羽根周辺の空気の流れを説明する図である。これら図５及び図６を用いて、実施例１の最下部の水平羽根８ａ１と実施例２の最下部の水平羽根８ａ２における水平羽根周辺の空気の流れとを比較して説明する。
【００５５】
図５に示す実施例１における最下部の水平羽根８ａ１を下向きに傾けると、矢印３１で示す下からの空気の流れは、水平羽根８ａ１の延長部８aEの先端部が向いている方向（鉛直線に対する水平羽根の入口角度）に対して斜めに流入することになる。即ち、空気の水平羽根への入射角度は水平羽根の入口角度と一致しないため、矢印３３に示すように、空気の流れは水平羽根８ａ１の上面側で剥離し、小さな渦３５を発生する恐れがある。渦３５が発生すると、最下部の水平羽根８ａとその一つ上の水平羽根８ｂとの間の有効流路幅を狭めたり、結露を発生させる原因となる。
【００５６】
一方、図６に示す本実施例２の最下部の水平羽根８ａ（８ａ２）では、最下部の水平羽根８ａ２の角度を下向きに傾けた状態で、水平羽根の延長部８aEの先端部は鉛直方向を向くように構成されている。このため、矢印３１で示す下からの空気の流れは、水平羽根８ａ２の延長部８aEの先端部が向いている方向（鉛直線に対する水平羽根の入口角度）と一致することになる。即ち、空気の水平羽根８ａ１への流入角度は、水平羽根８ａ２の入口角度と一致するため、矢印３４に示すように、空気の流れは水平羽根８ａ２の上面側に沿って剥離することなく流れる。従って、本実施例２においては、水平羽根８ａ２を下に向けた場合に、図５に示すような小さな渦３５が発生するのを、より確実に抑制することができ、最下部の水平羽根８ａとその一つ上の水平羽根８ｂとの間の有効流路幅を狭めたり、結露を発生させるのをより確実に抑制できる。
【実施例３】
【００５７】
本発明の実施例３を、図７を用いて説明する。図７は本実施例３の空気調和機の室内機を説明するもので、最下部の水平羽根８ａの構成を示す斜視図である。なお、本実施例３の室内機においては、図７に示す最下部の水平羽根８ａ以外の構成については、上述した実施例１や実施例２と同様であるので、実施例１、２と異なる最下部の水平羽根８ａの構成を中心に説明する。但し、本実施例３の説明では、図１等も参照しつつ説明する。
【００５８】
本実施例３の室内機においては、吹出口９（図１、図３、図４等参照）に設けられている最下部の水平羽根８ａは、図７に示す最下部の水平羽根８ａ（８ａ３）ように構成されている。なお、図７においては、水平羽根８ａ（８ａ３）の他に、垂直羽根７についても１枚のみ図示し、他の垂直羽根については省略している。
【００５９】
本実施例において、前記最下部の水平羽根８ａ（８ａ３）には、その上流側（熱交換器側）に、前記垂直羽根７が設けられている位置に対応させて、前記垂直羽根７の枚数と同数の複数の切欠き部４０が形成されている。図１等に示すように、床置き型の室内機１００（図１等参照）では水平羽根８の上流側（熱交換器側）に複数の垂直羽根７が配置されていることが多い。垂直羽根７は、吹出空気２４の吹出し方向を水平方向に変化させるものであるため、吹出口９の出口に近い位置、即ち水平羽根８に近接させて設置することが好ましい。垂直羽根７を水平羽根８に近接させて設置させる場合、上述した実施例１、２のように、最下部の水平羽根８ａに延長部８aEを設けると、この延長部８aEが垂直羽根７と干渉する。このため、前記延長部８aEを十分長く設けることができなかったり、垂直羽根７を水平羽根８から離して設置しなければならないという課題がある。
【００６０】
この課題を解決するため、本実施例３では、前記最下部の水平羽根８ａにおける前記垂直羽根が配置されている部分に対応させて切欠き部４０を設け、この切欠き部４０に前記垂直羽根７の下流側の部分（軸部７ａ，７ｂが設けられている側の部分）を受け入れて配置できるように構成したものである。このように構成することにより、垂直羽根７と水平羽根８ａの延長部８aEとを干渉させることなく、水平羽根８ａの延長部８aEを十分長く構成でき、また垂直羽根７を水平羽根８に近接させて設置できる効果も得られる。
【００６１】
従って、下からの空気の流れを最下部の水平羽根８ａにより案内する機能が向上し、水平方向への吹出し空気の偏向も効率良く行うことが可能となる。また、最下部の水平羽根８ａの延長部８aEをより長く且つより大きく曲げた構成にできるので、上述した実施例２の構成とすることも容易に可能となり、支持部材９ａや最下部の水平羽根８ａ上面に発生する渦を抑制して、吹出口９における最下部の水平羽根８ａの上下に形成される流路の有効流路幅が狭くなるのを抑制し、且つ結露の発生も抑制できる。
【００６２】
なお、図７では、垂直羽根７を１つのみ図示したが、この実施例３では垂直羽根７の枚数に応じて前記切欠き部４０を形成しているので、この例では前記垂直羽根７は５枚備えられている。
【００６３】
また、本実施例においては、最下部の水平羽根８ａの延長部８aEに設けた切欠き部４０の幅は、垂直羽根７の角度が変化する範囲において、水平羽根８ａの延長部８aEと前記垂直羽根７とが干渉しない大きさとしている。
【００６４】
更に、最下部の水平羽根８ａの回動範囲において、水平羽根８ａの延長部８aEが図２に示す支持部材９ａの支持部９ａａと干渉する場合には、前記切欠き部４０の幅を、前記支持部９ａａの幅よりも大きく構成することにより、前記延長部８aEと前記支持部９ａａとが干渉するのも回避することができる。
【実施例４】
【００６５】
本発明の空気調和機の室内機の実施例４を、図８を用いて説明する。図８は本実施例４の室内機を示す要部拡大断面図で、図３に相当する部分の図である。なお、本実施例４の説明においては、図１〜図３に示す実施例１と同様の部分については同一の符号を付して説明を省略し、異なる部分を中心に説明する。また、この図８においても、見易くするため、図１に示す垂直羽根７については省略して図示しているが、図１に示す垂直羽根７については、本実施例４においても実施例１と同様に具備されているものである。
【００６６】
図８に示すように、本実施例４の空気調和機の室内機も、複数の水平羽根８のうちの最下部の水平羽根８ａ（８ａ１）については、その上流側（熱交換器３側）を、前記水平羽根８ａより上方に設けられた他の水平羽根８よりも長く構成した延長部８aEを具備し、且つこの延長部８aEを下向きに曲げた形状、例えば円弧状に構成している点では、上記実施例１と同様である。また、上流側に長く構成された前記延長部８aEを有する前記最下部の水平羽根８ａが前記垂直羽根７と干渉しないように、前記延長部８aEに上述した実施例３と同様に、切欠き部４０（図７参照）を設けた構成としている。
【００６７】
本実施例２の室内機が上述した実施例１や３と異なる点は、前記筐体１の正面内側における前記吹出口９の下端部近傍に、上方に向かうにつれて前記熱交換器３側に立ち上がり、その後前記吹出口９に向けて徐々に転向する曲面で形成されたガイド部５０を設けていることである。
【００６８】
具体的には、本実施例では、図８に示すように、室内機１００における筐体１の正面板１ｂ内側に、吹出口９の下端部を構成している支持部材９ｂを下方に延長して前記ガイド部５０を設けている。このガイド部５０は、熱交換器３の下方から出て正面板１ｂ内側に沿って上昇する空気の流れ２３ｄをガイドし、最下部の水平羽根８ａ（８ａ１）と支持部材９ｂとの間の空間（流路）に、空気をスムーズに導くためのものである。
【００６９】
即ち、前記ガイド部５０は、吹出口９下方の正面板１ｂ内面から上方に向かうにつれて前記熱交換器３方向への高さが次第に高くなるように立ち上がり、その後、前記支持部材９ｂの上面に近づくにつれて、吹出口９側の方向に向けて徐々に転向させ、前記支持部材９ｂ上面（吹出口９の下端部）に滑らかに連続する曲面で形成されている。
【００７０】
図８では、前記支持部材９ｂを下方に延長して前記ガイド部５０を一体に構成する例を示したが、前記ガイド部５０を前記支持部材９ｂとは別体に構成して、このガイド部５０を前記支持部材９ｂに連続するように設置する構成としても良い。
【００７１】
なお、前記吹出口９下端部の支持部材９ｂの熱交換器３側には、上述した実施例１〜３と同様に、垂直羽根（図示せず）の支持部９ｂａ（破線で示す部分）が設けられた構成になっている。他の構成は上述した実施例１〜３と同様である。
【００７２】
次に、本実施例４の室内機１００における吹出口の部分の空気の流れについて説明する。室内機１００が運転され、遠心ファン２ａ（図１参照）が回転すると、前記吹出口９は前記筐体１の上部に設けられているため、熱交換器３の上部を通った空気は矢印２３ｃに示すように室内機の吹出方向（矢印２４の方向）と略同一方向に流れる。
【００７３】
また、前記熱交換器３の中央部付近を通過した空気は、矢印２３ｂで示すように最下部の水平羽根８ａ１の上面側やその上の水平羽根８ｂの上面側などを通過して吹出口９から矢印２４で示すように吹出される。このとき、前記矢印２３ｂの流れは、最下部の水平羽根８ａ１の延長部８aEの上面に案内されて矢印２７のように流れるので、最下部の水平羽根８ａの上面には図１０に示すような渦１２６ｂは発生しない。
【００７４】
更に、前記熱交換器３の下部を通過した空気は、矢印２３ｄで示すように正面板１ｂ内面に沿って、吹出方向２４と略垂直に上向きに流れるが、前記ガイド５０の位置に到達すると、該ガイド５０に沿って流れる。前記ガイド５０は吹出口９の下端部の支持部材９ｂ上面と滑らかに連続しているため、矢印２５で示すように、空気は最下部の水平羽根８ａの延長部８aEと、前記ガイド部５０に案内されて、吹出口９側に滑らかに転向され、前記最下部の水平羽根８ａと前記支持部材９ｂ上面との間の空間（流路）を通って、矢印２４で示すように吹出口９から室内に吹出される。
【００７５】
このように、本実施例４では、上述した実施例１の構成に加え、更に前記ガイド部５０を備える構成としたので、実施例１で吹出口９の下端部の支持部材９ａ上面に形成されていた小さな渦２６についても、その発生を抑制することができ、風量をより増加することができる。また、吹出口９の下端部の支持部材９ｂ上面に結露が発生するのもより確実に抑制することができる。
【００７６】
なお、本発明は上記した実施例に限定されるものではなく、様々な変形例が含まれる。例えば、上記実施例では室内機の送風機として、スクロールケーシングを用いない、いわゆるターボファン（遠心送風機）を用いる例を説明したが、スクロールケーシングを用いる送風機であっても同様に適用することができる。また、遠心送風機に限られるものでもなく、斜流ファンや軸流ファンなど他の形式の送風機を用いることも可能である。  
また、ある実施例の構成の一部を他の実施例の構成に置き換えることが可能であり、ある実施例の構成に他の実施例の構成を加えることも可能である。更に、上記した実施例は本発明を分かり易く説明するために詳細に説明したものであり、必ずしも説明した全ての構成を備えるものに限定されるものではない。
【符号の説明】
【００７７】
１，１０１：筐体、１ａ，１０１ａ：背面板、１ｂ，１０１ｂ：正面板、
１ｃ，１０１ｃ：天板、１ｄ：底板、
２，１０２：遠心送風機、２ａ，１０２ａ：遠心ファン、３，１０３：熱交換器、
４，１０４：フィルタ、５，１０５：吸込みグリル（吸込口）、
６，１０６：ベルマウス、
７，１０７：垂直羽根、７ａ，７ｂ，１０７ａ，１０７ｂ：軸部、
８，１０８：水平羽根、
８ａ，８ａ１，８ａ２，８ａ３，１０８ａ：最下部の水平羽根、８aE：延長部、
８ｂ，８ｃ，８ｄ，１０８ｂ，１０８ｃ，１０８ｄ：水平羽根、
９，１０９：吹出口、９ａ，９ｂ，１０９ａ：支持部材、
９ａａ，９ｂａ：支持部、９ａｂ：孔部、
１０，１１０：ドレンパン、
４０：切欠き部、５０：ガイド部、
２１，２２，２３ａ〜２３ｃ，２４，２５，２７，３１〜３４：空気の流れを示す矢印、
１２１，１２２，１２３ａ〜１２３ｃ，１２４，１２５：空気の流れを示す矢印、
２６，３５，１２６ａ，１２６ｂ：渦を示す矢印、
１００：室内機。
【図１】
2018119735.tif 000003
【図２】
2018119735.tif 000004
【図３】
2018119735.tif 000005
【図４】
2018119735.tif 000006
【図５】
2018119735.tif 000007
【図６】
2018119735.tif 000008
【図７】
2018119735.tif 000009
【図８】
2018119735.tif 000010
【図９】
2018119735.tif 000011
【図１０】
2018119735.tif 000012